(57)【要約】【課題】バッテリ周りの強度の向上が可能な携帯電子機器を提供することである。【解決手段】携帯電話機１は、第２筐体３と、第２筐体３内に配設される回路基板１９と、第２筐体３の内部において、回路基板１９と第２筐体３の長手方向に並んで配設されたバッテリ１３と、を有し、回路基板１９は、バッテリの側面に沿って第２筐体３の長手方向に延設する延設部２３を有する。【選択図】図３
2011172022.tif 000002
【特許請求の範囲】
【請求項１】
筺体と、
前記筺体内に配設される回路基板と、
前記筐体の内部において、前記回路基板と前記筐体の長手方向に並んで配設されたバッテリと、を有し、
前記回路基板は、前記バッテリの側面に沿って前記筐体の長手方向に延設する延設部を有する
携帯電子機器。
【請求項２】
前記延設部には、補強板金が配設されている
請求項１に記載の携帯電子機器。
【請求項３】
前記補強板金は、前記回路基板上に形成されたグランドに当接するように形成されている
請求項２に記載の携帯電子機器。
【請求項４】
前記補強板金は、前記バッテリの側面と平行な壁部を有する
請求項２又は３に記載の携帯電子機器。
【請求項５】
前記壁部は、前記筐体の側面の筐体内部側の面と当接する
請求項４に記載の携帯電子機器。
【請求項６】
前記筐体には、板金がインサート成形により埋設されており、
前記板金は、前記筐体の側面から筐体内部側に露出する露出面を有し、
前記壁部は、前記露出面と当接する
請求項４に記載の携帯電子機器。
【請求項７】
前記延設部には、前記バッテリと電力の入出力をおこなう筐体側バッテリ端子が配設されており、
前記筐体側バッテリ端子は、前記バッテリの側面を向いて形成されている
請求項４〜６いずれか１項に記載の携帯電子機器。
【請求項８】
前記延設部には、前記バッテリと電力の入出力をおこなう筐体側バッテリ端子が配設されており、
前記補強板金は、少なくとも前記筐体側バッテリ端子が配設されている位置よりも前記延設部の長手方向の端部側に長く形成されている
請求項２〜６いずれか１項に記載の携帯電子機器。
【請求項９】
前記筐体と、前記回路基板とを圧接固定する固定部材とを、有し、
前記補強板金は、前記筐体と前記回路基板との間に位置すると共に、前記固定部材によって前記筐体及び前記回路基板と圧接固定される座面部を有する
請求項２〜８いずれか１項に記載の携帯電子機器。
【請求項１０】
前記延設部には、他の部材と電気的接続を行うためのタブ部が配設される
請求項２〜９いずれか１項に記載の携帯電子機器。
【請求項１１】
基地局と無線通信するためのアンテナ部を有し、
前記タブ部は、前記アンテナ部と前記延設部とを電気的に接続する
請求項１０に記載の携帯電子機器。
【請求項１２】
ユーザからのキー入力を受けるスイッチが形成されると共に、基板グランド部が形成されたキー基板を有し、
前記タブ部は、前記基板グランド部と前記延設部とを電気的に接続する
請求項１０又は１１に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、筐体と前記筐体の内部に設けられた回路基板と、筐体の内部において回路基板と筐体の長さ方向に並んで設けられたバッテリと、を有する携帯電子機器が開示されている。
【先行技術文献】
【特許文献】
【０００３】
【特許文献１】特開２００３―２２９９３８号公報
【発明の概要】
【発明が解決しようとする課題】
【０００４】
しかしながら、特許文献１に記載の方法においては、バッテリ周りの強度が不足するという不利益がある。
【０００５】
本発明の目的は、バッテリ周りの強度の向上が可能な携帯電子機器を提供することである。
【課題を解決するための手段】
【０００６】
本発明の携帯電子機器は、筺体と、前記筺体内に配設される回路基板と、前記筐体の内部において、前記回路基板と前記筐体の長手方向に並んで配設されたバッテリと、を有し、前記回路基板は、前記バッテリの側面に沿って前記筐体の長手方向に延設する延設部を有する。
【０００７】
好適には、前記延設部には、補強板金が配設されている。
【０００８】
好適には、前記補強板金は、前記回路基板上に形成されたグランドに当接するように形成されている。
【０００９】
好適には、前記補強板金は、前記バッテリの側面と平行な壁部を有する。
【００１０】
好適には、前記壁部は、前記筐体の側面の筐体内部側の面と当接する。
【００１１】
好適には、前記筐体には、板金がインサート成形により埋設されており、前記板金は、前記筐体の側面から筐体内部側に露出する露出面を有し、前記壁部は、前記露出面と当接する。
【００１２】
好適には、前記延設部には、前記バッテリと電力の入出力をおこなう筐体側バッテリ端子が配設されており、前記筐体側バッテリ端子は、前記バッテリの側面を向いて形成されている。
【００１３】
好適には、前記延設部には、前記バッテリと電力の入出力をおこなう筐体側バッテリ端子が配設されており、前記補強板金は、少なくとも前記筐体側バッテリ端子が配設されている位置よりも前記延設部の長手方向の端部側に長く形成されている。
【００１４】
好適には、前記筐体と、前記回路基板とを圧接固定する固定部材とを、有し、前記補強板金は、前記筐体と前記回路基板との間に位置すると共に、前記固定部材によって前記筐体及び前記回路基板と圧接固定される座面部を有する。
【００１５】
好適には、前記延設部には、他の部材と電気的接続を行うためのタブ部が配設される。
【００１６】
好適には、基地局と無線通信するためのアンテナ部を有し、前記タブ部は、前記アンテナ部と前記延設部とを電気的に接続する。
【００１７】
好適には、ユーザからのキー入力を受けるスイッチが形成されると共に、基板グランド部が形成されたキー基板を有し、前記タブ部は、前記基板グランド部と前記延設部とを電気的に接続する。
【発明の効果】
【００１８】
本発明によると、バッテリ周りの強度の向上が可能な携帯電子機器を提供することができる。
【図面の簡単な説明】
【００１９】
【図１】本発明の実施形態に係る携帯電話機の外観を示す斜視図である。
【図２】第２筐体の分解斜視図である。
【図３】基板部の斜視図である。
【図４】基板部から補強板金を除去した説明図である。
【図５】補強板金の拡大図である。
【図６】図２のＡ方向からみた基板部の説明図である。
【図７】第２筐体リアケース及びバッテリカバーを除去した、図２のＡ方向からの正面図である。
【図８】図７のＶＩＩＩ―ＶＩＩＩにおける断面図である。
【図９】図７のＩＸ―ＩＸにおける断面図である。
【図１０】第２筐体の分解斜視図である。
【図１１】第２筐体リアケースの斜視図である。
【図１２】キャップの斜視図である。
【図１３】エラストマー部とベース部との接合方法の説明図である。
【発明を実施するための形態】
【００２０】
図１は、本発明の実施形態に係る携帯電話機１の外観を示す斜視図である。
【００２１】
携帯電話機１は、折り畳み式として構成されている。
携帯電話機１は第１筐体２及び第２筐体３を有している。
第１筐体２と第２筐体３とは、ヒンジ部９で開動可能に連結されている。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００２２】
第１筐体フロントケース４及び第１筐体リアケース５は互いに固定され、第１筐体フロントケース４及び第１筐体リアケース５の間に形成された空間に種々の電子部材を収容する収容空間を構成する。
なお、第１筐体リアケース５は図１では、現れていないが、第１筐体フロントケース４の裏側に設けられている。
第２筐体フロントケース６及び第２筐体リアケース７も互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、板金及び樹脂により形成されている。
【００２３】
なお、方向を示すときは、第１筐体リアケース５から第１筐体フロントケース４に向かう方向を表面方向（図１においては、紙面手前の方向）といい、第１筐体フロントケース４から第１筐体リアケース５に向かう方向を裏面方向（図１においては、紙面奥手の方向）という。
同様に第２筐体リアケース７から第２筐体フロントケース６に向かう方向を表面方向（図１においては、紙面手前の方向）といい、第２筐体フロントケース６から第２筐体リアケース７に向かう方向を裏面方向（図１においては、紙面奥手の方向）という。
なお、表面方向及び裏面方向によって形成される方向を高さ方向という。
【００２４】
また、第１筐体２においてヒンジ部９に向かう方向をヒンジ部方向（図１の第１筐体２においては、紙面下の方向）といい、その逆をヒンジ部反対方向（図１の第１筐体２においては、紙面上方向）という。
同様に、第２筐体３においても、ヒンジ部９に向かう方向をヒンジ部方向（図１の第２筐体３においては、紙面上の方向）といい、その逆をヒンジ部反対方向（図１の第２筐体３においては、紙面下の方向）という。
【００２５】
さらに、図１の第１筐体２を上側にし、第２筐体３を下側にした場合に、右側に来る側面を右側面１１とし、左側に来る側面を左側面１２という。
そして、右側面１１側に向かう方向を右側面方向（図１においては、紙面右の方向）といい、左側面１２面に向かう方向を左側面方向（図１においては、紙面左の方向）という。
なお、第１筐体２又は第２筐体３の中心から外部（第１筐体２又は第２筐体３の端部側）に延びる方向を外部方向という。
【００２６】
図１のように、第１筐体フロントケース４には表示部８が設けられている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２７】
また、図１のように、第２筐体フロントケース６の表面方向には、入力部１０が設けられている。この入力部１０をユーザが操作することによって、携帯電話機１に命令の入力、文字の入力等がなされる。
【００２８】
図２は、第２筐体３の分解斜視図である。
【００２９】
図２のように、第２筐体フロントケース６と第２筐体リアケース７との内部空間に、基板部１５、バッテリ１３及びアンテナ部１７が設けられている。
また、第２筐体リアケース７には、バッテリ１３を出し入れするためのバッテリカバー１８が設けられている。
なお、アンテナ部１７は、携帯電話機１が基地局と無線通信を行うために用いられる。
【００３０】
図３は、基板部１５の斜視図である。
【００３１】
基板部１５は、携帯電話機１の電気的な処理等を行う部分であり、第２筐体フロントケース６と第２筐体リアケース７との間に形成された内部空間に収納されている。
基板部１５とは、回路基板１９及びその回路基板１９上に実装された電子部品を必須の構成要件として、その他の必要な部材（保護カバー２５、補強板金２７）をも含んだものである。
基板部１５の回路基板１９上に複数の電子部品が実装されている。
そして、回路基板１９は、本体部２１と延設部２３とを有している。本体部２１は略正方形形状の薄板形状を有しており、延設部２３は長手方向が短手方向よりも８倍程度長い長方形形状の薄板形状を有している。
延設部２３は、バッテリ１３の側面に沿って第２筐体３の長手方向に本体部２１から延設されており、バッテリ１３回りの強度向上に寄与している。
なお、バッテリ１３の側面とはバッテリ１３の外面のうち第２筐体３の幅方向の面をいう。
回路基板１９の上には複数の電子部品が実装されている。
本体部２１に実装されている電子部品を外力及び電磁波等から保護するために保護カバー２５が設けられている。
本体部２１と延設部２３との境界領域付近から延設部２３の長手方向中間よりやや端部側位置まで延びる補強板金２７が実装されている。
補強板金２７は、樹脂よりも強度の高い金属である。例えば、ステンレス等が用いられる。
補強板金２７は、延設部２３の短手方向の長さの半分程度の長さを短手方向長さとして有している。
【００３２】
延設部２３には、本体部２１側から順に、第１タブ部３１、筐体側バッテリ端子２９、第２タブ部３３及び第３タブ部３５が設けられている。
第１タブ部３１、第２タブ部３３及び第３タブ部３５は、延設部２３の表面側の実装面に実装されている。
筐体側バッテリ端子２９は、延設部２３に形成された筐体側バッテリ端子２９に適合する切欠けに対応して設けられている。
この切欠けは、延設部２３のバッテリ１３を設けられる側の方向（内部側方向、右側面方向）を開口部として形成されている。
また、切欠けは、延設部２３の短手方向長さの半分程度の長さに設けられている。
【００３３】
第１タブ部３１、第２タブ部３３及び第３タブ部３５は、回路基板１９に形成された基板グランド部と電気的に接続されている。
また、第１タブ部３１、第２タブ部３３及び第３タブ部３５は、回路基板側に撓むことができる（表面方向及び裏面方向に弾性変形できる）構造を有しており、タブ部が当接する対象と圧着することができる。
そして、この圧着によって回路基板１９に形成された基板グランド部と、タブ部が当接する対象との電気的な接続を図っている。
タブ部が当接する対象は後述する。
後述する第４タブ部３７もその構造等は同一である。
【００３４】
また、回路基板１９の外周部にはグランドが形成されており、このグランド上に補強板金２７が当接されているため、補強板金２７もグランドに電気的に接続されていることになる。
このような構成によって、補強板金２７と回路基板１９のグランドとの接続が確実に行われる。そして、このことによって携帯電話機１の電気的安定性が向上する。
【００３５】
図４は、基板部１５から補強板金２７を除去した説明図である。
【００３６】
図４のように、回路基板１９は、本体部２１と延設部２３との境界付近において、Ｕ字状の切欠けであるねじ用切欠部２２が設けられている。
このねじ用切欠部２２は、バッテリ１３側が開口部となるように形成されている。
また、ねじ用切欠部２２のＵ字状の切欠けの開口端部は、バッテリ１３側に開口している。また、ねじ用切欠部２２のＵ字状の切欠けの開口端部は、本体部２１のバッテリ１３側の側面と延設部２３のバッテリ側の側面とそれぞれ約４５°の角度を有している。
このねじ用切欠部２２は、その空間内に第２筐体フロントケース６と第２筐体リアケース７とを接合（螺着）する固定部材であるねじ４７が挿入されるための部分である。
このように、回路基板１９の本体部２１と延設部２３との境界部付近に、Ｕ字状の切欠けであるねじ用切欠部２２が設けられていることによって、直角に接合した場合に比べて応力の分散が可能となり、回路基板１９の強度を維持することが容易になる。
さらに、ねじ用切欠部２２を有することによって、ねじ４７が通過する部分の面積が広がり、容易にねじ４７を通過させることが可能となって、ねじ止め作業が容易になるという効果もある（図８も参照のこと）。
また、図８を通じて後説するが、ねじ用切欠部２２部分は、補強板金２７の座面部２７ｂが位置して、ねじ４７でしっかりと固定される。
【００３７】
図５は、補強板金２７の拡大図である。
【００３８】
図５のように、補強板金２７は、主面部２７ａ、座面部２７ｂ及び壁部２７ｃを有している。
主面部２７ａは長手方向長さが短手方向長さよりも約１０倍程度を有する薄板形状を有している。
また、この主面部２７ａから延設されている座面部２７ｂは、Ｄ字形状を有する薄板形状を有している。
この座面部２７ｂには、そのＤ字形状先端部付近に円状の貫通孔２７ｄが形成されている。
この貫通孔２７ｄは、ねじ用切欠部２２に対応した位置に設けられている。
また、主面部２７ａ及び座面部２７ｂには、表面方向に延びる壁部２７ｃが設けられている。壁部２７ｃはバッテリ１３の側面に沿って形成されている。
補強板金２７は、ステンレス等の強度の高い金属等で構成されている。
補強板金２７は、延設部２３が撓むことを抑制している。そして、壁部２７ｃは補強板金２７の強度をより強化している。
【００３９】
図６は、図２のＡ方向からみた基板部１５の説明図である。
【００４０】
図６のように、回路基板１９は本体部２１と延設部２３とを有し、本体部２１と延設部２３との境界領域付近にねじ用切欠部２２が設けられている。
また、延設部２３の中央から本体部２１寄りに、筐体側バッテリ端子２９が設けられている。
さらに、延設部２３の本体部２１側とは反対側端部には第４タブ部３７が設けられている。
【００４１】
図７は、第２筐体リアケース７及びバッテリカバー１８を除去した、図２のＡ方向からの正面図である。
【００４２】
図７のように、バッテリ１３の端子と筐体側バッテリ端子２９とは、第２筐体３の短手方向において当接している。
また、第４タブ部３７はアンテナ部１７と当接している。
【００４３】
図８は、図７のＶＩＩＩ―ＶＩＩＩにおける断面図である。
【００４４】
図８のように、第２筐体リアケース７の裏面方向の位置にはバッテリカバー１８が、第２筐体リアケース７を覆うように設けられている。
また、第２筐体リアケース７には、ねじ４７の螺着を受けるための接合部３９が設けられている。
また、第２筐体リアケース７の表面方向には、第２筐体フロントケース６が設けられている。
この第２筐体リアケース７は、インサート板金４１（板金）がインサート成形されている。
より具体的には、インサート板金４１の外周部に樹脂部４２が設けられている（以下の説明については、図１０も参照のこと）。
このインサート板金４１には、板金ねじ穴４１ａが設けられている。
この板金ねじ穴４１ａにねじ４７を挿入して、第２筐体フロントケース６と第２筐体リアケース７の接合部３９とを螺着している。
つまり、ねじ４７によって第２筐体フロントケース６と第２筐体リアケース７とが螺着されて、第２筐体３が形成されている。
第２筐体リアケース７と第２筐体フロントケース６とが螺着によって接合したことによって形成される内部空間には、基板部１５が収納される。
そして、基板部１５の表面側方向位置に設けられた補強板金２７の座面部２７ｂが、第２筐体リアケース７に設けられた接合部３９と板金ねじ穴４１ａ付近のインサート板金４１によって挟み込まれる。
したがって、ねじ４７が螺着され、第２筐体フロントケース６と第２筐体リアケース７とが接合されると、補強板金２７も第２筐体３に固定される。
そして、補強板金２７は、基板部１５の回路基板１９に実装されているのであるから、同じく、回路基板１９も第２筐体３に固定される。
【００４５】
補強板金２７の外部方向の位置には壁部２７ｃが、表面方向に向かって形成されている（図３も参照のこと）。
そして、この壁部２７ｃが外部方向においてインサート板金４１の内部側の面に当接している。
さらに、この壁部２７ｃの表面方向の面が、第２筐体フロントケース６の裏面方向を向いた面と当接している。
この２つの当接によって、回路基板１９をより安定的に保持することが可能となっている。
さらに、この２つの当接によって、回路基板１９（特に、延設部２３）の外部方向又は表面方向への撓みを抑制することができる。
この二つの当接があることによって、回路基板１９自身が発生する振動、回路基板１９に伝わってくる振動も抑制することが可能となる。
【００４６】
また、ねじ４７によってインサート板金４１と補強板金２７も電気的に接続されている。
そして、補強板金２７は回路基板１９のグランド上に実装されている。
したがって、インサート板金４１は、回路基板１９のグランドと電気的に接続される。
このことは、携帯電話機１のグランドを確実に接続して、回路を安定化する効果がある。
【００４７】
なお、第２筐体フロントケース６（インサート板金４１）には、キー基板４３及びキーシート４５が表面方向において順に設けられている。
【００４８】
図９は、図７のＩＸ―ＩＸにおける断面図である。
【００４９】
図９のように、バッテリ１３は、第２筐体３の短手方向で、筐体側バッテリ端子２９と接続している。
このように、バッテリ１３と筐体側バッテリ端子２９が、短手方向において回路基板１９（延設部２３）と接合している。
このことによって、筐体側バッテリ端子２９を延設部２３に設けることが可能となる。
そうすると、本体部２１には筐体側バッテリ端子２９を設けなくてよくなるため、本体部２１に電子部品を実装する効率を向上させることが可能となる。
【００５０】
補強板金２７の外部方向の位置には壁部２７ｃが、表面方向に向かって形成されている（図３も参照のこと）。
そして、この壁部２７ｃが外部方向においてインサート板金４１の内部側の面に当接している。
さらに、この壁部２７ｃの表面方向の面が、第２筐体フロントケース６の裏面方向を向いた面と当接している。
この２つの当接によって、回路基板１９をより安定的に保持することが可能となっている。
さらに、この２つの当接によって、回路基板１９（特に、延設部２３）の外部方向又は表面方向への撓みを抑制することができる。
この二つの当接があることによって、回路基板１９自身が発生する振動、回路基板１９に伝わってくる振動も抑制することが可能となる。
特に、この部分には、筐体側バッテリ端子２９によって、外部方向に力が加わるため、この外力を、この２つの当接によって保持することが可能となる。
また、筐体側バッテリ端子２９による外部方向への力、つまり延設部２３を外部方向に撓ませようとする力に対しては、この２つの当接による支持の他に、補強板金２７（主面部２７ａ、壁部２７ｃ）によって、そもそも撓ませ無いように保持されている。
【００５１】
また、筐体側バッテリ端子２９の当接方向を第２筐体３の短手方向にしたことによって、第２筐体３の長手方向の長さをより短くすることができる。
【００５２】
図１０は、第２筐体３の分解斜視図である。
【００５３】
図１０のように、第２筐体３は、キーシート４５、キー基板４３、第２筐体フロントケース６（インサート板金４１）、基板部１５、第２筐体リアケース７、バッテリカバー１８が、表面側から裏面方向に順に設けられている。
【００５４】
キーシート４５には、表示部８に設けられているキーの機能等が印刷されている。
キー基板４３には、ユーザがキーシート４５の特定のキーを押圧した時に、一定の信号を発信するスイッチが設けられている。
また、キー基板４３には、電圧の基準となるグランドが設けられている。このグランドは、グランド端子４３ａと接続されている。
第２筐体フロントケース６は、インサート板金４１とその外周部に設けられる樹脂部４２によって形成されている。
インサート板金４１には、ねじ４７を受け入れるための板金ねじ穴４１ａが設けられている。
また、インサート板金４１には、抜け穴構造のグランド端子用孔部４１ｂが設けられている。
このグランド端子用孔部４１ｂは、グランド端子４３ａ及び第２タブ部３３に対応する位置に設けられている。
【００５５】
基板部１５には、表面方向の面に第１タブ部３１、第２タブ部３３及び第３タブ部３５が設けられている。
基板部１５には、裏面方向の面に第４タブ部３７が設けられている。
そして、第２筐体フロントケース６が、基板部１５を挟み込んで第２筐体リアケース７と螺着されると、第１タブ部３１及び第３タブ部３５がインサート板金４１と電気的に接続する。
さらに、第２タブ部３３は、グランド端子用孔部４１ｂを通って、キー基板４３のグランドと電気的に接続する。
このことによって、インサート板金４１と、回路基板１９のグランドと、キー基板４３のグランドとが電気的に確実、かつ、安定に電気的に接続する。
したがって、グランドラインが安定化して、携帯電話機１の電気的な安定性が向上する。
【００５６】
また、第１タブ部３１、第２タブ部３３、第３タブ部３５及び第４タブ部３７が設けられている延設部２３には、補強板金２７が設けられていることから、延設部２３が表面方向及び裏面方向へ撓むことが抑制される。
そして、このことによって、第１タブ部３１、第２タブ部３３、第３タブ部３５及び第４タブ部３７とその接続対象物との距離（高さ）が一定に保たれるため、安定した電気的接続を得ることが可能となる。
【００５７】
図１１は、第２筐体リアケース７の斜視図である。
【００５８】
図１１のように、第２筐体リアケース７には、キャップ４８が設けられている。
このキャップ４８は、第２筐体３の内部に設けられている接続部（コネクタ）を保護する役割を有する。
【００５９】
図１２は、キャップ４８の斜視図である。
【００６０】
図１１はヒンジ部方向の位置から見た図であったが、図１２はヒンジ部反対方向の位置から見た図である。
図１２のように、キャップ４８は、エラストマー部４９、ベース部５１及びトップ部５３から構成されている。
そして、エラストマー部４９には、ベース部５１と接合するための棒形状の突起部４９ａが形成されている。
ベース部５１には、有底の円形溝形状の突起部収納部５１ｂ及び突起部収納部５１ｂの中心に形成された抜け穴形状の突起部挿入用孔部５１ａが形成されている。
【００６１】
図１３は、エラストマー部４９とベース部５１との接合方法の説明図である。
【００６２】
図１３のように、エラストマー部４９とベース部５１との接合方法は、突起部挿入用孔部５１ａに突起部４９ａを挿入して、その後、突起部４９ａを潰して溶着することによって行う。
これによって、肉眼でエラストマー部４９とベース部５１との接合が確実に行われたか確認することができる。
【００６３】
以上の実施形態によれば、携帯電話機１は、第２筐体３と、第２筐体３内に配設される回路基板１９と、第２筐体３の内部において、回路基板１９と第２筐体３の長手方向に並んで設けられたバッテリ１３と、を有している。
そして、回路基板１９は、バッテリ１３の側面に沿って第２筐体３の長手方向に延設する延設部２３を有する。
このような構成によって、バッテリ１３周りの強度が延長部２３により向上する。
また、筐体側バッテリ端子２９を延設部２３に設けることが可能となる。
そうすると、本体部２１には筐体側バッテリ端子２９を設ける必要がなくなるため、本体部２１に電子部品を実装する効率を向上させることが可能となる。
また、筐体側バッテリ端子２９の当接方向を第２筐体３の短手方向にしたことによって、第２筐体３の長手方向の長さをより短くすることができるという効果もある。
【００６４】
延設部２３には、補強板金２７が設けられている。
このような構成によって、延設部２３が撓むことを抑制することが可能となる。
【００６５】
補強板金２７は、回路基板１９上に形成されたグランドに当接するように形成されている。
このような構成によって、補強板金２７と回路基板１９のグランドとの接続が確実に行われる。そして、このことによって携帯電話機１の電気的安定性が向上する（アンテナ部１７の特性の安定化や静電効果の向上が期待される）。
【００６６】
補強板金２７は、バッテリ１３の側面と平行な壁部２７ｃを有する。
このような構成によって、壁部２７ｃは補強板金２７の強度をより強化することが可能となる。
【００６７】
壁部２７ｃは、第２筐体３の側面の第２筐体３内部側の面と当接する。
このような構成とすることによって、回路基板１９（特に、延設部２３）の外部方向への撓みを抑制することができる。
また、回路基板１９自身が発生する振動、回路基板１９に伝わってくる振動も抑制することが可能となるという効果がある。
【００６８】
第２筐体３は強度を増すための板金４１がインサート成形により埋設されており、板金４１は、第２筐体３の側面から第２筐体３内部側に露出する露出面を有し、壁部２７ｃは、露出面と当接する。
このような構成とすることによって、回路基板１９（特に、延設部２３）の表面方向への撓みを抑制することができる。
また、回路基板１９自身が発生する振動、回路基板１９に伝わってくる振動も抑制することが可能となるという効果がある。
【００６９】
延設部２３には、バッテリ１３と電力の入出力をおこなう筐体側バッテリ端子２９が設けられており、筐体側バッテリ端子２９は、バッテリ１３の側面を向いて形成されている。
このような構成を有する場合には、延設部２３には外部方向に力が加わるが、この力による撓みを抑制することができるという効果がある。
【００７０】
延設部２３には、バッテリ１３と電力の入出力をおこなう筐体側バッテリ端子２９が設けられており、補強板金２７は、少なくとも筐体側バッテリ端子２９が設けられている位置よりも延設部２３の長手方向の端部側に長く形成されている。
このような構成によって、より延設部２３を強固に保持することが可能となる。
【００７１】
第２筐体３と回路基板１９とを圧接固定するねじ４７（固定部材）を、有し、補強板金２７は、第２筐体３と回路基板１９との間に位置すると共に、ねじ４７（固定部材）によって第２筐体３及び回路基板１９と圧接固定される座面部２７ｂを有する。
このような構成を有することから、携帯電話機１のグランドを、確実に接続して、回路の安定化する効果がある。
【００７２】
延設部２３には、他の部材と電気的接続を行うための第１タブ部３１、第２タブ部３３、第３タブ部３５、第４タブ部３７が設けられている。
このような構成を有することから、延設部２３が表面方向及び裏面方向へ撓むことが抑制される。
そして、このことによって、第１タブ部３１、第２タブ部３３、第３タブ部３５及び第４タブ部３７とその接続対象物との距離（高さ）が一定に保たれるため、安定した電気的接続を得ることが可能となる。
【００７３】
基地局と無線通信するためのアンテナ部１７を有し、第４タブ部３７は、アンテナ部１７と延設部２３とを電気的に接続する。
このような構成を有することから、第４タブ部３７とアンテナ部１７との距離（高さ）が一定に保たれるため、安定した電気的接続（給電構造）を得ることが可能となる。
【００７４】
ユーザからのキー入力を受けるスイッチが形成されると共に、基板グランド部が形成されたキー基板４３を有している。
第２タブ部３３は、基板グランド部と延設部２３とを電気的に接続する。
このような構成を有することから、第２タブ部３３とキー基板４３との距離（高さ）が一定に保たれるため、安定した電気的接続を得ることが可能となる。
【００７５】
なお、以上の実施形態において、第１筐体２及び第２筐体３は本発明の筐体の一例である。
つまり、筺体とは、携帯電子機器を収容する容器に該当するものであればどのようなものであってもよい。
さらに、容器の一部、例えば、第１筐体フロントケース４、第１筐体リアケース５、第２筐体フロントケース６及び第２筐体リアケース７であっても筺体に該当する。
また、ねじ４７は固定部材の一例であり、固定が可能なものであればどのようなものであっても良い。
【００７６】
キーシート４５は、キートップとラバーベースとを総称する概念である。
【００７７】
本発明は、以上の実施形態に限定されず、種々の態様で実施されてよい。
たとえば、補強板金２７の代わりに、導電性を有する高強度部材を用いても良い。
さらに、電気的な安定性のためにグランドを共通化するという機能を発揮させない場合には、導電性を有する必要はない。
つまり、単に強度的観点のみを考慮して、補強板金２７は導電性を有しない高強度部材であっても良い。
【００７８】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００７９】
１…携帯電話機、２…第１筐体、３…第２筐体、４…第１筐体フロントケース、５…第１筐体リアケース、６…第２筐体フロントケース、７…第２筐体リアケース、８…表示部、９…ヒンジ部、１０…入力部、１１…右側面、１２…左側面、１３…バッテリ、１５…基板部、１７…アンテナ部、１８…バッテリカバー、１９…回路基板、２１…本体部、２２…ねじ用切欠部、２３…延設部、２５…保護カバ―、２７…補強板金、２７ａ…主面、２７ｂ…座面部、２７ｃ…壁部、２９…筐体側バッテリ端子、３１…第１タブ部、３３…第２タブ部、３５…第３タブ部、３７…第４タブ部、３９…接合部、４１…インサート板金（板金）、４１ａ…板金ねじ穴、４１ｂ…グランド端子用孔部、４２…樹脂部、４３…キー基板、４３ａ…グランド端子、４５…キーシート、４７…ねじ（固定部材）、４８…キャップ、４９…エラストマー部、４９ａ…突起部、５１…ベース部、５１ａ…突起部挿入用孔部、５１ｂ…突起部収納溝部、５３…トップ部
【図１】
2011172022.tif 000003
【図２】
2011172022.tif 000004
【図３】
2011172022.tif 000005
【図４】
2011172022.tif 000006
【図５】
2011172022.tif 000007
【図６】
2011172022.tif 000008
【図７】
2011172022.tif 000009
【図８】
2011172022.tif 000010
【図９】
2011172022.tif 000011
【図１０】
2011172022.tif 000012
【図１１】
2011172022.tif 000013
【図１２】
2011172022.tif 000014
【図１３】
2011172022.tif 000015